(57)【要約】【課題】ユーザが各撮影形式の設定情報を容易に把握することができるようにする。【解決手段】  撮影待機中、共通情報表示エリア９１に、静止画撮影モードと動画撮影モードの両方に有効な設定項目（設定情報）を表示させ、静止画撮影関連情報表示エリア９２に、静止画撮影モードのみに有効な設定項目を表示させ、動画撮影関連情報表示エリア９３に、動画撮影モードのみに有効な設定項目を表示させる。本発明は、静止画像および動画像を撮像するデジタルカメラに適用することができる。【選択図】図５
2006074321.tif 000002
【特許請求の範囲】
【請求項１】
静止画像および動画像を撮像する撮像装置において、
前記静止画像に関する情報の第１の表示領域への表示を制御する第１の表示制御手段と、
前記動画像に関する情報の第２の表示領域への表示を制御する第２の表示制御手段と、
前記静止画像と前記動画像に関する共通情報の第３の表示領域への表示を制御する第３の表示制御手段と
を備え、
前記第１乃至第３の表示領域は、画面の異なる位置にそれぞれ配置されている
ことを特徴とする撮像装置。
【請求項２】
前記静止画像の撮像が指示された場合、前記第２の表示制御手段は、前記静止画像の撮像に関する補助情報の表示に切り替える
ことを特徴とする請求項１に記載の撮像装置。
【請求項３】
前記動画像の撮像が指示された場合、前記第１の表示制御手段は、前記動画像の撮像に関する補助情報の表示に切り替える
ことを特徴とする請求項１に記載の撮像装置。
【請求項４】
静止画像および動画像を撮像する撮像装置の表示制御方法において、
前記静止画像に関する情報の第１の表示領域への表示を制御する第１の表示制御ステップと、
前記動画像に関する情報の第２の表示領域への表示を制御する第２の表示制御ステップと、
前記静止画像と前記動画像に関する共通情報の第３の表示領域への表示を制御する第３の表示制御ステップと
を含むことを特徴とする表示制御方法。
【請求項５】
静止画像および動画像を撮像する撮像装置の表示制御処理を、コンピュータに行わせるプログラムにおいて、
前記静止画像に関する情報の第１の表示領域への表示を制御する第１の表示制御ステップと、
前記動画像に関する情報の第２の表示領域への表示を制御する第２の表示制御ステップと、
前記静止画像と前記動画像に関する共通情報の第３の表示領域への表示を制御する第３の表示制御ステップと
を含むことを特徴とするプログラム。
【請求項６】
静止画像および動画像を撮像する撮像装置において、
機能の設定を行う操作メニューの表示を制御する第１の表示制御手段と、
前記第１の表示制御手段により表示が制御されている前記操作メニューの各機能が、前記静止画像に有効な機能であるか、前記動画像に有効な機能であるか、または、前記静止画像と前記動画像に有効な機能であるかを表すマークの表示を制御する第２の表示制御手段と
を備えることを特徴とする撮像装置。
【請求項７】
前記第１の表示制御手段により表示が制御されている前記操作メニューのうち、ユーザにより選択された所定の機能が、前記静止画像に有効な機能であるか、前記動画像に有効な機能であるか、または、前記静止画像と前記動画像に有効な機能であるかを判定する判定手段をさらに備える
ことを特徴とする請求項６に記載の撮像装置。
【請求項８】
静止画像および動画像を撮像する撮像装置の表示制御方法において、
機能の設定を行う操作メニューの表示を制御する第１の表示制御ステップと、
前記第１の表示制御ステップの処理により表示が制御されている前記操作メニューの各機能が、前記静止画像に有効な機能であるか、前記動画像に有効な機能であるか、または、前記静止画像と前記動画像に有効な機能であるかを表すマークの表示を制御する第２の表示制御ステップと
を含むことを特徴とする表示制御方法。
【請求項９】
静止画像および動画像を撮像する撮像装置の表示制御処理を、コンピュータに行わせるプログラムにおいて、
機能の設定を行う操作メニューの表示を制御する第１の表示制御ステップと、
前記第１の表示制御ステップの処理により表示が制御されている前記操作メニューの各機能が、前記静止画像に有効な機能であるか、前記動画像に有効な機能であるか、または、前記静止画像と前記動画像に有効な機能であるかを表すマークの表示を制御する第２の表示制御ステップと
を含むことを特徴とするプログラム。
【発明の詳細な説明】
【技術分野】
【０００１】
本発明は、撮像装置および表示制御方法、並びにプログラムに関し、特に、ユーザが各撮影形式の設定情報を容易に把握することができるようにした撮像装置および表示制御方法、並びにプログラムに関する。
【背景技術】
【０００２】
近年、画像を撮像してデジタルデータとして記録することが可能なデジタルカメラが広く普及してきた。通常、デジタルカメラでは、記録可能な静止画像の残り枚数や記録可能な動画像の残り時間などを、LCD（Liquid Crystal Display）等に表示する機能を有している。
【０００３】
また、デジタルカメラの多機能化に伴って、多くの設定情報がどの撮影モードに対応するものであるかを区別するために、アイコン表示などを行っている。
【０００４】
さらにまた、例えば、通常撮影モードとブラケットなどの連写モードにおいて、選択されたモードに応じて残枚数の表示を切り替えることにより、記録残り枚数をユーザに正しく通知するようにしているものがある（例えば、特許文献１参照）。
【０００５】
これにより、ユーザは、通常撮影モードと連写モードとの動作モードの切り換え時に、記録残り枚数を誤って認識してしまうようなことがなくなる。
【０００６】
【特許文献１】特開２００３−２５９２８９号公報
【発明の開示】
【発明が解決しようとする課題】
【０００７】
ところで、静止画像の記録残り枚数と動画像の記録残り時間を同じ画面内に同時に表示し、かつ、静止画像と動画像のいずれに有効な設定情報であるかを明示する技術がなかったため、それぞれの設定情報がどの撮影形式に対応するものであるかを確認するために、ユーザは煩雑な操作を行わなければならない課題があった。
【０００８】
本発明はこのような状況に鑑みてなされたものであり、各撮影形式の設定情報を同時に表示させたり、各設定情報がどの撮影形式に有効な情報であるかを明示することで、ユーザに対する視認性を向上させることができるようにするものである。
【課題を解決するための手段】
【０００９】
本発明の第１の撮像装置は、静止画像に関する情報の第１の表示領域への表示を制御する第１の表示制御手段と、動画像に関する情報の第２の表示領域への表示を制御する第２の表示制御手段と、静止画像と動画像に関する共通情報の第３の表示領域への表示を制御する第３の表示制御手段とを備え、第１乃至第３の表示領域は、画面の異なる位置にそれぞれ配置されていることを特徴とする。
【００１０】
前記静止画像の撮像が指示された場合、第２の表示制御手段は、静止画像の撮像に関する補助情報の表示に切り替えるようにすることができる。
【００１１】
前記動画像の撮像が指示された場合、第１の表示制御手段は、動画像の撮像に関する補助情報の表示に切り替えるようにすることができる。
【００１２】
本発明の第１の表示制御方法は、静止画像に関する情報の第１の表示領域への表示を制御する第１の表示制御ステップと、動画像に関する情報の第２の表示領域への表示を制御する第２の表示制御ステップと、静止画像と動画像に関する共通情報の第３の表示領域への表示を制御する第３の表示制御ステップとを含むことを特徴とする。
【００１３】
本発明の第１のプログラムは、静止画像に関する情報の第１の表示領域への表示を制御する第１の表示制御ステップと、動画像に関する情報の第２の表示領域への表示を制御する第２の表示制御ステップと、静止画像と動画像に関する共通情報の第３の表示領域への表示を制御する第３の表示制御ステップとをコンピュータに実行させることを特徴とする。
【００１４】
本発明の第２の撮像装置は、機能の設定を行う操作メニューの表示を制御する第１の表示制御手段と、第１の表示制御手段により表示が制御されている操作メニューの各機能が、静止画像に有効な機能であるか、動画像に有効な機能であるか、または、静止画像と動画像に有効な機能であるかを表すマークの表示を制御する第２の表示制御手段とを備えることを特徴とする。
【００１５】
前記第１の表示制御手段により表示が制御されている操作メニューのうち、ユーザにより選択された所定の機能が、静止画像に有効な機能であるか、動画像に有効な機能であるか、または、静止画像と動画像に有効な機能であるかを判定する判定手段をさらに設けるようにすることができる。
【００１６】
本発明の第２の表示制御方法は、機能の設定を行う操作メニューの表示を制御する第１の表示制御ステップと、第１の表示制御ステップの処理により表示が制御されている操作メニューの各機能が、静止画像に有効な機能であるか、動画像に有効な機能であるか、または、静止画像と動画像に有効な機能であるかを表すマークの表示を制御する第２の表示制御ステップとを含むことを特徴とする。
【００１７】
本発明の第２のプログラムは、機能の設定を行う操作メニューの表示を制御する第１の表示制御ステップと、第１の表示制御ステップの処理により表示が制御されている操作メニューの各機能が、静止画像に有効な機能であるか、動画像に有効な機能であるか、または、静止画像と動画像に有効な機能であるかを表すマークの表示を制御する第２の表示制御ステップとをコンピュータに実行させることを特徴とする。
【００１８】
第１の本発明においては、静止画像に関する情報、動画像に関する情報、および、静止画像と動画像に関する共通情報が、画面の異なる表示領域にそれぞれ表示される。
【００１９】
第２の本発明においては、操作メニューの各機能が、静止画像に有効な機能であるか、動画像に有効な機能であるか、または、静止画像と動画像に有効な機能であるかを表すマークで表示される。
【発明の効果】
【００２０】
本発明によれば、各撮影形式の設定情報を同時に表示させることが可能となる。また、各設定情報がどの撮影形式に有効な情報であるかを明示することが可能となる。これらにより、ユーザに対する視認性および設定内容に対する理解度を向上させることができる。
【発明を実施するための最良の形態】
【００２１】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００２３】
請求項１に記載の撮像装置（例えば、図１乃至図３のデジタルカメラ１）は、静止画像に関する情報の第１の表示領域（例えば、図５の静止画撮影関連情報表示エリア９２）への表示を制御する第１の表示制御手段（例えば、図１１のステップＳ１の処理を実行する図４の表示制御部８２）と、動画像に関する情報の第２の表示領域（例えば、図５の動画撮影関連情報表示エリア９３）への表示を制御する第２の表示制御手段（例えば、図１１のステップＳ１の処理を実行する図４の表示制御部８２）と、静止画像と動画像に関する共通情報の第３の表示領域（例えば、図５の共通情報表示エリア９１）への表示を制御する第３の表示制御手段（例えば、図１１のステップＳ１の処理を実行する図４の表示制御部８２）とを備え、第１乃至第３の表示領域は、画面の異なる位置にそれぞれ配置されていることを特徴とする。
【００２４】
請求項２に記載の撮像装置は、静止画像の撮像が指示された場合、第２の表示制御手段は、静止画像の撮像に関する補助情報の表示（例えば、図６の静止画撮影補助情報表示エリア１１１）に切り替えることを特徴とする。
【００２５】
請求項３に記載の撮像装置は、動画像の撮像が指示された場合、第１の表示制御手段は、動画像の撮像に関する補助情報の表示（例えば、図８の動画撮影補助情報表示エリア１２１）に切り替えることを特徴とする。
【００２６】
請求項４に記載の表示制御方法は、静止画像に関する情報の第１の表示領域（例えば、図５の静止画撮影関連情報表示エリア９２）への表示を制御する第１の表示制御ステップ（例えば、図１１のステップＳ１）と、動画像に関する情報の第２の表示領域（例えば、図５の動画撮影関連情報表示エリア９３）への表示を制御する第２の表示制御ステップ（例えば、図１１のステップＳ１）と、静止画像と動画像に関する共通情報の第３の表示領域（例えば、図５の共通情報表示エリア９１）への表示を制御する第３の表示制御ステップ（例えば、図１１のステップＳ１）とを含むことを特徴とする。
【００２７】
なお、請求項５に記載のプログラムにおいても、各ステップが対応する実施の形態（但し一例）は、請求項４に記載の表示制御方法と同様である。
【００２８】
請求項６に記載の撮像装置（例えば、図１乃至図３のデジタルカメラ１）は、機能の設定を行う操作メニュー（例えば、図９のメニュー項目１３１−１乃至１３１−５を含む操作メニュー１３２）の表示を制御する第１の表示制御手段（例えば、図４の表示制御部２８）と、第１の表示制御手段により表示が制御されている操作メニューの各機能が、静止画像に有効な機能であるか、動画像に有効な機能であるか、または、静止画像と動画像に有効な機能であるかを表すマーク（例えば、図９のボックス１３４または図１０のボックス１４１）の表示を制御する第２の表示制御手段（例えば、図１２のステップＳ２２、Ｓ２４、またはＳ２５の処理を実行する図４の表示制御部８２）とを備えることを特徴とする。
【００２９】
請求項７に記載の撮像装置は、第１の表示制御手段により表示が制御されている操作メニューのうち、ユーザにより選択された所定の機能が、静止画像に有効な機能であるか、動画像に有効な機能であるか、または、静止画像と動画像に有効な機能であるかを判定する判定手段（例えば、図１２のステップＳ２１またはＳ２３の処理を実行する図４の表示制御部８２）をさらに備えることを特徴とする。
【００３０】
請求項８に記載の表示制御方法は、機能の設定を行う操作メニュー（例えば、図９のメニュー項目１３１−１乃至１３１−５を含む操作メニュー１３２）の表示を制御する第１の表示制御ステップと、第１の表示制御ステップの処理により表示が制御されている操作メニューの各機能が、静止画像に有効な機能であるか、動画像に有効な機能であるか、または、静止画像と動画像に有効な機能であるかを表すマークの表示を制御する第２の表示制御ステップ（例えば、図１２のステップＳ２２、Ｓ２４、またはＳ２５）とを含むことを特徴とする。
【００３１】
なお、請求項９に記載のプログラムにおいても、各ステップが対応する実施の形態（但し一例）は、請求項８に記載の表示制御方法と同様である。
【００３２】
以下、本発明の実施の形態について図を参照して説明する。
【００３３】
図１は、本発明を適用したデジタルカメラの外観の構成例を示す斜視図である。
【００３４】
デジタルカメラ１は、本体部１１および表示部１２から構成されており、さらに表示部１２は、取り付け部２１および表示パネル部２２から構成されている。
【００３５】
本体部１１の面１１−１の図中上方には、表示部１２の取り付け部２１が取り付けられており、表示部１２が本体部１１に対して、矢印Ａ方向と矢印Ｂ方向に回動自在に支持されている。
【００３６】
また、表示部１２の表示パネル部２２は、取り付け部２１に対して、軸Ｃを中心として矢印Ｄ方向に回動自在に支持されている。これにより、ユーザは、表示パネル部２２を本体部１１に対して、自由に位置決めすることができる。
【００３７】
本体部１１の面１１−２には、電源ボタン３１、モード切替ボタン３２、録画モード表示部３３、および再生モード表示部３４が設けられている。
【００３８】
電源ボタン３１は、電源をオンまたはオフするときに操作される。モード切替ボタン３２は、デジタルカメラ１の動作モードを録画モードまたは再生モードに設定するときに操作される。録画モード表示部３３と再生モード表示部３４は、例えば、LED(Light Emission Diode)から構成され、デジタルカメラ１の動作モードが、それぞれ録画モードまたは再生モードであるとき、点灯または点滅する。
【００３９】
本体部１１の面１１−１の取り付け部２１が取り付けられている位置より下方には、操作ボタン３５が設けられている。操作ボタン３５は、静止画撮影ボタン３５ａおよび動画撮影ボタン３５ｂを含む複数のボタンから構成され、静止画撮影や動画撮影の指示、または、録画や再生に関する指令を行うときに操作される。
【００４０】
表示部１２の表示パネル部２２には、操作ボタン４１（図中左側）および表示パネル４２（図中右側）が設けられている。操作ボタン４１は、操作ボタン４１ａ乃至４１ｃから構成され、操作ボタン３５と同様に、録画または再生に関する指令を行うときに操作される。例えば、操作ボタン４１ａは、動画像撮影を選択、またはコマ送り（早送り）を指示するときに操作される。操作ボタン４１ｂは、撮影（記録）を指示、または表示する画像を選択するときに操作される。操作ボタン４１ｃは、静止画像撮影を選択、またはコマ戻し（巻き戻し）を指示するときに操作される。このように、操作ボタン４１ａ乃至４１ｃは、それぞれ、２つの異なる機能を有している。表示パネル４２は、例えば、液晶パネルから構成され、撮影される画像や撮影済みの画像などを表示する。
【００４１】
図２は、図１のデジタルカメラ１を図１中の矢印Ｅ方向から見た斜視図である。
【００４２】
本体部１１の面１１−３の図中上方には、レンズ５１が設けられている。レンズ５１は、被写体からの光を通過させ、その結果、被写体の画像が撮影される。
【００４３】
図３は、デジタルカメラ１の電気的構成例を示すブロック図である。
【００４４】
マイクロプロセッサ６１は、操作ボタン３５からの、ユーザの操作に対応する信号（以下、ユーザ操作信号と称する）や、図３の例では図示は省略されているが、電源ボタン３１、モード切替ボタン３２、および操作ボタン４１からのユーザ操作信号に基づいて、各種処理を実行するとともに、レンズ５１、撮像素子６３、撮像処理部６４、カメラ信号処理部６５、およびドライブ６６を制御する。
【００４５】
例えば、マイクロプロセッサ６１は、ユーザによって静止画撮影ボタン３５ａが半押し状態にされると静止画撮影モードに入り、静止画のフリーズを実行するように各部を制御する。そして、マイクロプロセッサ６１は、静止画撮影ボタン３５ａが全押し状態にされると、フリーズされた静止画を撮影するように各部を制御する。
【００４６】
また例えば、マイクロプロセッサ６１は、ユーザによって動画撮影ボタン３５ｂが押下されると動画撮影モードに入り、動画を撮影するように各部を制御する。そして、マイクロプロセッサ６１は、再び動画撮影ボタン３５ｂが押下されると、動画撮影を終了するように各部を制御する。
【００４７】
メモリ６２は、例えば、FLASH ROM（FLASH Read Only Memory）などで構成され、マイクロプロセッサ６１が各種処理を実行する上で必要なプログラムなどを格納している。
【００４８】
レンズ５１は、光（すなわち、被写体の映像）を、撮像素子６３に入射させる。撮像素子６３は、例えば、CCD（Charge Coupled Devices）イメージャやC-MOS（Complementary Metal Oxide Semiconductor）イメージャを含む光電変換を行う光電変換素子が２次元に配置されたものであって、その前面には、Ｒ，ＧおよびＢがモザイク状に配列された原色フィルタ（図示せず）が装着されている。すなわち、撮像素子６３は、レンズ６３および原色フィルタを介して入射された被写体の光像を光電変換して撮像信号（電荷）を生成し、生成した撮像信号をラスタスキャン方式で撮像処理部６４に出力する。なお、原色フィルタは、Ye，Cy，MgおよびGがモザイク状に配列された補色系フィルタを用いるようにしてもよい。
【００４９】
撮像処理部６４は、撮像素子６３より入力された撮像信号に対し、CDS（Correlated Double Sampling）回路におけるノイズ除去、AGC（Automatic Gain Control）回路におけるゲイン調整などを施し、A／D（Analog to Digital）変換器でアナログ信号からデジタル信号に変換した後、カメラ信号処理部６５に供給する。
【００５０】
カメラ信号処理部６５は、撮像処理部６４から供給された撮像データに対し、ガンマ処理、色分離処理、およびＹＵＶ変換などの信号処理を施し、輝度信号データおよびクロマ信号データからなる画像データを作成する。そして、カメラ信号処理部６５は、作成した画像データを表示パネル４２に供給し、対応する画像を表示させたり、または作成した画像データをマイクロプロセッサ６１およびドライブ６６を介してリムーバブルメディア６７に供給し、そこに記録させる。また、カメラ信号処理部６５は、マイクロプロセッサ６１から供給されてきたOSD(On Screen Display)データに基づいて所定の画像を表示パネル４２に表示させる。
【００５１】
表示パネル４２は、カメラ信号処理部６５から供給された被写体の画像を表示するとともに、操作メニューや各種設定機能に関する画像を表示する。
【００５２】
マイクロプロセッサ６１には、必要に応じてドライブ６６が接続される。ドライブ６６には、磁気ディスク、光ディスク、光磁気ディスク、あるいは半導体メモリなどのリムーバブルメディア６７が適宜装着され、そこから読み出されたコンピュータプログラムが、マイクロプロセッサ６１にインストールされる。
【００５３】
図４は、デジタルスチルカメラ１の機能的構成例を示すブロック図である。図４に示す機能的構成例は、マイクロプロセッサ６１が、メモリ６２に記憶された所定のプログラムを実行することで実現される。
【００５４】
操作検出部８１は、静止画撮影ボタン３５ａまたは動画撮影ボタン３５ｂが押下されたか否かを検出するとともに、静止画撮影ボタン３５ａが半押し状態であるか、または全押し状態であるかを検出する。また操作検出部８１は、静止画撮影ボタン３５ａおよび動画撮影ボタン３５ｂ以外のボタン（電源ボタン３１、モード切替ボタン３２、または操作ボタン４１など）が押下されたか否かを検出する。
【００５５】
表示制御部８２は、操作検出部８１の検出結果に基づいて、設定内容記憶部８３を参照し、所定の設定内容を読み出して、対応する情報（画面）を表示パネル４２に表示させる。
【００５６】
設定内容記憶部８３には、静止画撮影モードと動画撮影モードに関する共通の設定情報、静止画撮影モードに関する設定情報、静止画撮影モードの撮影補助情報、動画撮影モードに関する設定情報、および、動画撮影モードの撮影補助情報などが記憶されている。
【００５７】
静止画撮影モードと動画撮影モードに関する共通の設定情報としては、例えば、バッテリ残量、日付/時刻、記録先フォルダ名、およびEV（Exposure Value）補正値などが含まれる。静止画撮影モードに関する設定情報としては、例えば、ISO感度、画像の大きさ、撮影可能残り枚数、コントラスト、シャープネス、彩度、フラッシュレベル、および画質などが含まれる。静止画撮影モードの撮影補助情報としては、例えば、絞り値、およびホワイトバランスなどが含まれる。動画撮影モードに関する設定情報としては、例えば、画像サイズ、フレーム数、および撮影可能残り時間などが含まれる。動画撮影モードの撮影補助情報としては、例えば、ホワイトバランスなどが含まれる。
【００５８】
図５は、表示制御部８２により撮影待機中に表示される表示パネル４２の画面の例を示す図である。
【００５９】
図５に示す画面では、共通情報表示エリア９１、静止画撮影関連情報表示エリア９２、および動画撮影関連情報表示エリア９３がそれぞれ所定の位置に配置されている。共通情報表示エリア９１には、静止画撮影モードと動画撮影モードの両方に有効な設定項目（設定情報）が表示され、静止画撮影関連情報表示エリア９２には、静止画撮影モードのみに有効な設定項目が表示され、動画撮影関連情報表示エリア９３には、動画撮影モードのみに有効な設定項目が表示される。
【００６０】
図５の例の場合、共通情報表示エリア９１には、バッテリ残量を表す「78分」、および、EV補正値を表す「＋2.0EV」が表示されている。静止画撮影関連情報表示エリア９２には、ISO感度を表す「ISO100」、画像の大きさを表す「5M」、撮影可能残り枚数を表す「56」、および、静止画撮影モードを表すアイコン１０１が表示されている。動画撮影関連情報表示エリア９３には、画像サイズを表す「640（640×480）」、フレーム数を表す「30fps」、撮影可能残り時間を表す「00:12:34」、および、動画撮影モードを表すアイコン１０２が表示されている。
【００６１】
なお、共通情報表示エリア９１乃至動画撮影関連情報表示エリア９３は、説明をわかりやすくするために、仮想的に図示したものであり、実際には、内部情報として管理されるため、特別な構成はなされていない。
【００６２】
このような画面が表示されている状態で（すなわち、撮影待機状態で）、例えば、ユーザが、静止画撮影ボタン３５ａを半押したとき、図６に示されるような画面が表示される。
【００６３】
図６に示す画面では、図５に示した画面のうちの、共通情報表示エリア９１および静止画撮影関連情報表示エリア９２の表示内容は保持したまま、動画撮影関連情報表示エリア９３が、静止画撮影補助情報表示エリア１１１に切り替えられている。静止画撮影補助情報表示エリア１１１には、静止画撮影モードの撮影補助情報が表示され、図６の例の場合、絞り値を表す「F3.5」が表示されている。
【００６４】
そして、ユーザが、静止画撮影ボタン３５ａを全押ししたとき（すなわち、シャッタを押下した瞬間）、図７に示されるような黒画が表示され、静止画撮影終了後、再び、図５に示した撮影待機中の画面が表示される。
【００６５】
一方、図５に示されるような画面が表示されている状態で（すなわち、撮影待機状態で）、例えば、ユーザが、動画撮影ボタン３５ｂを押下したとき、図８に示されるような画面が表示される。
【００６６】
図８に示す画面では、図５に示した画面のうちの、共通情報表示エリア９１および動画撮影関連情報表示エリア９３の表示内容は保持したまま、静止画撮影関連情報表示エリア９２が、動画撮影補助情報表示エリア１２１に切り替えられている。動画撮影補助情報表示エリア１２１には、動画撮影モードの撮影補助情報が表示される（図８の例では、何も表示されていない）。なお、動画撮影関連情報表示エリア９３において、撮影可能残り時間は、撮影時間を表す「00:10:11」に切り替えられ、録画中であることを示すマーク（図８の例では、黒丸印）が新たに表示される。
【００６７】
以上のように、静止画撮影モードと動画撮影モードの両方に有効な共通の設定情報、静止画撮影モードのみに有効な設定情報、および、動画撮影モードのみに有効な設定情報を、エリアで分けて視覚的に表示することにより、ユーザは、複数の設定情報を把握しやすくなる。また、静止画撮影ボタン３５ａまたは動画撮影ボタン３５ｂが押下されたとき、対応する撮影モードのエリアのみを表示し、さらにそのモードの撮影補助情報を表示することにより、ユーザは、撮影に関する補助情報を容易に、かつ、瞬時に把握することができる。
【００６８】
図９は、ユーザが操作メニューの表示を指示した場合に、表示制御部８２により表示される表示パネル４２の画面の例を示す図である。
【００６９】
図９に示す画面では、メニュー項目１３１−１乃至１３１−５を含む操作メニュー１３２が表示されるとともに、現在カーソルが選択しているメニュー項目１３１−５の設定情報を示すリストボックス１３３が表示されている。また、メニュー項目１３１−５に示される機能（いまの場合、ISO感度）が静止画撮影モードのみに有効な設定情報であることを表すボックス１３４が表示されている。さらに、次ページの存在があることを表すアイコン１３５が表示されている。
【００７０】
図９の例の場合、リストボックス１３３には、ISO感度の設定可能情報である「400」、「200」、「100」、および「オート」の文字が表示されており、そのうちの「100」が「ISO感度」に設定されていることが示されている。また、ボックス１３４には、「PHOTO」の文字が表示されており、静止画撮影モードのみに有効な設定情報であることが示されている。
【００７１】
このような画面が表示されている状態で、例えば、ユーザがカーソルをメニュー項目１３１−２に移動させた場合、図１０に示されるような画面が表示される。
【００７２】
図１０に示す画面では、現在カーソルが選択しているメニュー項目１３１−２の設定情報を示すリストボックス１３３が表示されている。また、メニュー項目１３１−２に示される機能（いまの場合、EV補正）が静止画撮影モードと動画撮影モードに有効な設定情報であることを表すボックス１４１が表示されている。
【００７３】
図１０の例の場合、リストボックス１３３には、EV補正の設定可能情報である「+2.0」、「+1.0」、「0」、「-1.0」、および「-2.0」の文字が表示されており、そのうちの「+1.0」が「EV補正」に設定されていることが示されている。また、ボックス１４１には、「PHOTO/MOVIE」の文字が表示されており、静止画撮影モードと動画撮影モードに有効な設定情報であることが示されている。
【００７４】
なお、図示は省略するが、動画撮影モードのみに有効な機能が選択された場合、「MOVIE」の文字からなるボックスが表示され、動画撮影モードのみに有効な設定情報であることが示される。
【００７５】
以上のように、静止画撮影モードのみに有効な設定情報、静止画撮影モードと動画撮影モードに有効な設定情報、および動画撮影モードのみに有効な設定情報を、視覚的に表示することができる。これにより、ユーザは、容易に、かつ、瞬時に、現在選択中の機能が、静止画／動画のいずれに、または両方に有効な項目であるかを把握することができる。
【００７６】
次に、図１１のフローチャートを参照して、デジタルカメラ１が実行する、撮影時の表示処理について説明する。
【００７７】
ステップＳ１において、表示制御部８２は、設定内容記憶部８３に記憶されている各設定情報に基づいて、図５に示した撮影待機状態の画面を表示パネル４２に表示させる。この表示により、ユーザは、静止画撮影モードと動画撮影モードの両方に有効な共通の設定情報（図５の例の場合、共通情報表示エリア９１に表示されるバッテリ残量およびEV補正値）、静止画撮影モードに有効な設定情報（図５の例の場合、静止画撮影関連情報表示エリア９２に表示されるISO感度、画像の大きさ、および撮影可能残り枚数）、および、動画撮影モードに有効な設定情報（図５の例の場合、動画撮影関連情報表示エリア９３に表示される画像サイズおよびフレーム数）を、容易に、かつ、瞬時に把握することができる。
【００７８】
ステップＳ２において、操作検出部８１は、静止画撮影ボタン３５ａが半押しされたか否かを判定（検出）し、静止画撮影ボタン３５ａが半押しされたと判定した場合、その検出結果を表示制御部８２に供給し、ステップＳ３に進む。ステップＳ３において、表示制御部８２は、操作検出部８１からの検出結果に基づいて、設定内容記憶部８３を参照し、静止画撮影モードの撮影補助情報を読み出し、図６に示した静止画撮影中の画面を表示パネル４２に表示させる。この表示により、ユーザは、静止画撮影モードの撮影補助情報（図６の例の場合、静止画撮影補助情報表示エリア１１１に表示される絞り値）をさらに把握することができる。
【００７９】
ステップＳ４において、操作検出部８１は、静止画撮影ボタン３５ａが全押しされたか否かを判定し、未だ静止画撮影ボタン３５ａが全押しされていないと判定した場合、ステップＳ３に戻り、上述した処理を繰り返し実行する。
【００８０】
ステップＳ４において、操作検出部８１は、静止画撮影ボタン３５ａが全押しされたと判定した場合、その検出結果を表示制御部８２に供給し、ステップＳ５に進む。ステップＳ５において、表示制御部８２は、操作検出部８１からの検出結果に基づいて、図７に示した黒画を表示パネル４２に表示させる。
【００８１】
ステップＳ６において、操作検出部８１は、撮影が終了したか否か、すなわち、静止画撮影ボタン３５ａの押下状態が解除されたか否かを判定し、未だ撮影が終了していないと判定した場合、ステップＳ５に戻り、上述した処理を繰り返し実行する。
【００８２】
ステップＳ６において、操作検出部８１は、撮影が終了されたと判定した場合、その検出結果を表示制御部８２に供給し、ステップＳ１に戻る。そして、表示制御部８２は、図５に示した撮影待機状態の画面を再表示し、上述した処理を繰り返し実行する。
【００８３】
ステップＳ２において、静止画撮影ボタン３５ａが半押しされていないと判定された場合、ステップＳ７に進み、操作検出部８１は、動画撮影ボタン３５ｂが押下されたか否かを判定し、動画撮影ボタン３５ｂが押下されたと判定した場合、その検出結果を表示制御部８２に供給し、ステップＳ８に進む。ステップＳ８において、表示制御部８２は、操作検出部８１からの検出結果に基づいて、設定内容記憶部８３を参照し、動画撮影モードの撮影補助情報を読み出し、図８に示した動画撮影中の画面を表示パネル４２に表示させる。この表示により、ユーザは、動画撮影モードの撮影補助情報（図８の例の場合、動画撮影補助情報表示エリア１２１）をさらに把握することができる。
【００８４】
ステップＳ９において、操作検出部８１は、撮影が終了したか否か、すなわち、動画撮影ボタン３５ｂが再び押下されたか否かを判定し、未だ撮影が終了していないと判定した場合、ステップＳ８に戻り、上述した処理を繰り返し実行する。
【００８５】
ステップＳ９において、操作検出部８１は、撮影が終了されたと判定した場合、その検出結果を表示制御部８２に供給し、ステップＳ１に戻る。そして、表示制御部８２は、図５に示した撮影待機状態の画面を再表示し、上述した処理を繰り返し実行する。
【００８６】
また、ステップＳ７において、動画撮影ボタン３５ｂが押下されていないと判定された場合も、ステップＳ１に戻り、上述した処理が繰り返し実行される。
【００８７】
以上の撮影時の表示処理により、ユーザは、複数の設定情報を容易に把握することができる。また、ユーザは、静止画撮影ボタン３５ａまたは動画撮影ボタン３５ｂを押下したとき（すなわち、静止画撮影モードまたは動画撮影モードに入ったとき）、対応する撮影モードの撮影補助情報を瞬時に把握することができる。従って、ユーザは、各モードの設定情報や撮影補助情報を確認するための煩雑な操作を行う必要がなくなる。
【００８８】
次に、図１２のフローチャートを参照して、デジタルカメラ１が実行する、操作メニューの表示処理について説明する。この処理は、ユーザにより操作メニューの表示が指示され、図９に示したような画面が表示パネル４２に表示されている場合に開始される。
【００８９】
ステップＳ２１において、表示制御部８２は、設定内容記憶部８３に記憶されている設定情報に基づいて、現在カーソルが選択しているメニュー項目が静止画のみに有効な設定情報であるか否かを判定し、選択項目が静止画のみに有効な設定情報であると判定した場合、ステップＳ２２に進む。ステップＳ２２において、表示制御部８２は、図９に示したように、静止画撮影モードのみに有効な設定情報であることを表すボックス１３４を表示パネル４２に表示させる。この表示により、ユーザは、選択項目（図９の例の場合、ISO感度）が静止画撮影モードのみに有効な設定情報であることを容易に把握することができる。
【００９０】
ステップＳ２１において、選択項目が静止画のみに有効な設定情報ではないと判定された場合、ステップＳ２３に進み、表示制御部８２は、さらに選択項目が動画のみに有効な設定情報であるか否かを判定する。ステップＳ２３において、選択項目が動画のみに有効な設定情報であると判定された場合、ステップＳ２４に進み、表示制御部８２は、動画撮影モードのみに有効な設定情報であることを表すボックス（図示せず）を表示パネル４２に表示させる。この表示により、ユーザは、選択項目が動画撮影モードのみに有効な設定情報であることを容易に把握することができる。
【００９１】
ステップＳ２３において、選択項目が動画のみに有効な設定情報ではないと判定された場合、ステップＳ２５に進み、表示制御部８２は、図１０に示したように、静止画撮影モードと動画撮影モードに有効な設定情報であることを表すボックス１４１を表示パネル４２に表示させる。この表示により、ユーザは、選択項目（図１０の例の場合、EV補正）が静止画撮影モードと動画撮影モードに有効な設定情報であることを容易に把握することができる。
【００９２】
ステップＳ２２、Ｓ２４、またはＳ２５の処理の後、ステップＳ２６に進み、操作検出部８１は、操作メニュー表示の終了が指示されたか否かを判定（検出）し、未だ操作メニュー表示の終了が指示されていないと判定した場合、ステップＳ２１に戻り、上述した処理を繰り返し実行する。そして、ステップＳ２６において、操作メニュー表示の終了が指示されたと判定された場合、処理は終了される。
【００９３】
以上の操作メニューの表示処理により、ユーザは、静止画撮影モードのみに有効な設定情報、静止画撮影モードと動画撮影モードに有効な設定情報、および動画撮影モードのみに有効な設定情報を瞬時に把握することができる。従って、ユーザは、大項目を新たに用意して撮影モード毎に設定情報を分ける必要がなくなるだけでなく、静止画／動画のいずれに、または両方に有効な項目（機能）であるかを確認するための煩雑な操作を行う必要がなくなる。
【００９４】
以上においては、ユーザにより選択された項目が、静止画撮影モードのみに有効な設定情報であるか、動画撮影モードのみに有効な設定情報であるか、または、静止画撮影モードと動画撮影モードに有効な設定情報であるかをボックス１３４やボックス１４１などのマークで表示するようにしたが、本発明はこれに限られるものではなく、例えば、ユーザの選択によらず、メニュー項目１３１−１乃至１３１−５内に、静止画撮影モードのみに有効な設定情報であるか、動画撮影モードのみに有効な設定情報であるか、または、静止画撮影モードと動画撮影モードに有効な設定情報であるかを明示する記号を表示するようにしたり、あるいは、メニュー項目１３１−１乃至１３１−５を色分けするようにしてもよい。
【００９５】
より具体的には、例えば、メニュー項目１３１−１乃至１３１−５のうち、静止画撮影モードのみに有効な設定情報のメニュー項目内に「Ｐ」を表示させ、動画撮影モードのみに有効な設定情報のメニュー項目内に「Ｍ」を表示させ、静止画撮影モードと動画撮影モードに有効な設定情報のメニュー項目内に「P/M」を表示させるようにする。
【００９６】
また例えば、メニュー項目１３１−１乃至１３１−５のうち、静止画撮影モードのみに有効な設定情報のメニュー項目は、第１の表示色（例えば、白色）を表示させ、動画撮影モードのみに有効な設定情報のメニュー項目は、第２の表示色（例えば、水色）を表示させ、静止画撮影モードと動画撮影モードに有効な設定情報のメニュー項目は、第３の表示色（例えば、黄色）を表示させるようにする。
【００９７】
上述した一連の処理は、ハードウェアにより実行させることもできるが、ソフトウェアにより実行させることもできる。
【００９８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００９９】
この記録媒体は、図３に示されるように、装置本体とは別に、ユーザにプログラムを提供するために配布される、磁気ディスク、光ディスク、光磁気ディスク、または半導体メモリなどよりなるリムーバブルメディア６７により構成されるだけでなく、装置本体に予め組み込まれた状態でユーザに提供される、プログラムが記録されているメモリ６２や図示せぬハードディスクなどで構成される。
【０１００】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【０１０１】
【図１】本発明を適用したデジタルカメラの外観の構成例を示す斜視図である。
【図２】図１のデジタルカメラを図１中の矢印Ｅ方向から見た斜視図である。
【図３】デジタルカメラの電気的構成例を示すブロック図である。
【図４】デジタルスチルカメラの機能的構成例を示すブロック図である。
【図５】撮影待機中に表示される画面の例を示す図である。
【図６】静止画撮影ボタンが半押しされたとき表示される画面の例を示す図である。
【図７】静止画撮影ボタンが全押しされたとき表示される画面の例を示す図である。
【図８】動画撮影ボタンが押下されたとき表示される画面の例を示す図である。
【図９】操作メニューの例を示す図である。
【図１０】操作メニューの他の例を示す図である。
【図１１】撮影時の表示処理を説明するフローチャートである。
【図１２】操作メニューの表示処理を説明するフローチャートである。
【符号の説明】
【０１０２】
１  デジタルカメラ，３５ａ  静止画撮影ボタン，  ３５ｂ  動画撮影ボタン，  ４２  表示パネル，  ６７  リムーバブルメディア，  ８１  操作検出部，  ８２  表示制御部，  ８３  設定内容記憶部，  ９１  共通情報表示エリア，  ９２  静止画撮影関連情報表示エリア，  ９３  動画撮影関連情報表示エリア，  １１１  静止画撮影補助情報表示エリア，  １２１  動画撮影補助情報表示エリア，  １３４，１４１  ボックス
【図１】
2006074321.tif 000003
【図２】
2006074321.tif 000004
【図３】
2006074321.tif 000005
【図４】
2006074321.tif 000006
【図５】
2006074321.tif 000007
【図６】
2006074321.tif 000008
【図７】
2006074321.tif 000009
【図８】
2006074321.tif 000010
【図９】
2006074321.tif 000011
【図１０】
2006074321.tif 000012
【図１１】
2006074321.tif 000013
【図１２】
2006074321.tif 000014